(57)【要約】【課題】開閉操作によって戸板に大きな回転モーメントが発生するような場合であっても、戸板をスムーズに開閉操作することができる、吊り式引き戸の構造を提供する。【解決手段】戸板２が吊り戸車５によりレール４に走行可能に吊られて開口部が開閉されるようになされた吊り式引き戸の構造において、戸板２が、吊り戸車５に対し、レール４の延びる方向において相対的な遊びをすることができないように連結されている。また、戸板２が、吊り戸車５に対し、レール４の延びる方向と直交する水平方向において相対的な遊びをすることができるように連結されているとよい。【選択図】      図１
2006257685.tif 000002
【特許請求の範囲】
【請求項１】
戸板が吊り用走行子によりレールに走行可能に吊られて開口部を開閉するようになされた吊り式引き戸の構造において、
戸板が、吊り用走行子に対し、レールの延びる方向において相対的な遊びをすることができないように連結されていることを特徴とする吊り式引き戸の構造。
【請求項２】
戸板が、吊り用走行子に対し、レールの延びる方向と直交する水平方向において相対的な遊びをすることができるように連結されている請求項１に記載の吊り式引き戸の構造。
【発明の詳細な説明】
【技術分野】
【０００１】
本発明は、吊り式引き戸の構造に関する。
【背景技術】
【０００２】
戸板が吊り戸車などの吊り用走行子によりレールに走行可能に吊られて開口部を開閉するようになされた吊り式引き戸は、具体例を挙げるまでもなく、従来より知られている。
【発明の開示】
【発明が解決しようとする課題】
【０００３】
ところで、例えば住宅等の建物において、車イス使用者や子供などによる引き戸の開閉操作を行いやすくするため、図２に示すように、開口部１に、一つの戸板を幅方向に半分に分割したサイズの幅狭の２つの戸板２，２を設置し、一方の戸板２に対して開閉操作を行うと、それに連動してもう一方の戸板２も開閉動作を行うシンクロ引分け式の引き戸を採用し、しかも、戸板２に設けられる引き手として、車イス使用者や子供であっても楽に手を掛けることができるように低所にまで延ばされた連続引き手３を採用するような場合、図３に示すように、車イス使用者や子供が連続引き手３の低所部分に手を掛けて開閉操作を行うと、手を掛けた側の戸板２が、レール４の延びる方向に回動してしまい、該戸板２が動かなくなって、開口部１をスムーズに開閉させることができない不具合を生じることがあった。
【０００４】
そこで、本発明者は、原因究明に向けた仔細な調査を行ったところ、戸板２が、レール４の延びる方向において吊り戸車５に対し相対的な遊びすることができるように吊り戸車５に連結されていることに、その原因があることを突き止めた。即ち、上記のように、各戸板２，２が狭幅であって、その低所に開閉操作力が加わり、一方の戸板２に対する操作でもう一方の戸板も動くシンクロ引き分け式であると、特に、開閉操作をする側の戸板２に大きな回転モーメントが発生し、その回転モーメントによって、上記の遊びを利用して、操作する側の戸板２がレール４の延びる方向に回動変位を起こしてしまい、開口部１をスムーズに開閉させることができない不具合を生じさせてしまうのであった。
【０００５】
本発明は、上記のような解明に基づいてなされたものであって、開閉操作によって戸板に大きな回転モーメントが発生するような場合であっても、戸板をスムーズに開閉操作することができる、吊り式引き戸の構造を提供することを課題とする。
【課題を解決するための手段】
【０００６】
上記の課題は、戸板が吊り用走行子によりレールに走行可能に吊られて開口部を開閉するようになされた吊り式引き戸の構造において、
戸板が、吊り用走行子に対し、レールの延びる方向において相対的な遊びをすることができないように連結されていることを特徴とする吊り式引き戸の構造によって解決される。
【０００７】
この構造では、戸板が、吊り用走行子に対し、レールの延びる方向において相対的な遊びをすることができないように連結されているので、開閉操作によって戸板に大きな回転モーメントが作用した場合でも、戸板が回動変位をせず、そのため、戸板をスムーズに開閉操作することができる。
【０００８】
上記の構造において、戸板が、吊り用走行子に対し、レールの延びる方向と直交する水平方向において相対的な遊びをすることができるように連結されているとよい。この場合は、面外方向における戸板の遊びが許容され、戸板の開閉動作をスムーズなものにすることができる。即ち、遊びをもたせる部分ともたせない部分とをうまい具合に組み合わせることによって引き戸のスムーズな開閉動作を実現することができる。
【０００９】
上記の構造は、特に、幅狭の戸板が用いられるシンクロ引き分け式の引き戸構造であって、戸板の低所に引き手が備えられている場合に有効的に用いることができる。また、シンクロ引き分け式に限らず、狭幅の戸板が用いられる引き分け式、片引き式等の各種引き戸であって、戸板の低所に引き手が備えられている引き戸に対しても有効的に用いることができる。
【発明の効果】
【００１０】
本発明の吊り式引き戸の構造は、以上のとおりのものであるから、開閉操作によって戸板に大きな回転モーメントが発生するような場合であっても、戸板をスムーズに開閉操作することができる。
【発明を実施するための最良の形態】
【００１１】
次に、本発明の実施最良形態を図面に基づいて説明する。
【００１２】
本実施形態では、図２に示すように、開口部１に、一つの戸板を幅方向に半分に分割したサイズの幅狭の２つの戸板２，２が設置され、一方の戸板２に対して開閉操作を行うと、それに連動してもう一方の戸板２も開閉動作を行うシンクロ引き分け式であって、戸板２に設けられる引き手として、車イス使用者や子供であっても楽に手を掛けることができるように低所にまで延ばされた連続引き手３を採用する吊り式の引き戸構造に適用した場合を説明する。なお、６はシンクロ機構部であり、各戸板２の幅寸法は、例えば４５０ｍｍ、高さ寸法は例えば２１００ｍｍである。
【００１３】
図１及び図２において、５は吊り用走行子としての吊り戸車、４はレールであり、戸板２は、左右の吊り戸車５，５により、レール４に走行可能に吊られて開口部を開閉するようになされている。そして、戸板２と吊り戸車５とは、図１（ロ−１）（ロ−２）に示すように、脚７を介して連結されており、脚７は、その上端部が吊り戸車５に対して遊びのない固定状態に連結されると共に、脚７と戸板２は、図１（ロ−２）に示すように、戸板２が吊り戸車５に対しレール４の延びる方向において相対的な遊び、例えば図示するような方向の回動変位動作をすることができないように連結されている。
【００１４】
また、本実施形態では、脚７と戸板２は、図１（ロ−１）に示すように、戸板２が、吊り戸車５に対し、レール４の延びる方向と直交する水平方向において相対的な遊び、例えば図示するような方向の回動変位動作をすることができるように連結されている。更に、図１（ロ−１）（ロ−２）に示すように、戸板２は、吊り戸車５に対し、上下方向においても相対的な遊びをすることができないように連結されている。
【００１５】
上記の吊り式引き戸の構造では、各戸板２が、吊り戸車５に対し、レール４の延びる方向において相対的な遊びをすることができないように連結されているので、図２（イ）（ロ）に示すように、車イス使用者や子供などによる開閉操作によって戸板２に大きな回転モーメントが発生しても、戸板２はレール４の延びる方向において回動変位をせず、そのため、戸板２，２をスムーズに開閉操作することができる。
【００１６】
しかも、本実施形態では、戸板２が、吊り戸車５に対し、レール４の延びる方向と直交する水平方向において相対的な遊びをすることができるように連結されているので、面外方向における戸板２，２の遊びが許容され、戸板２，２の開閉動作をスムーズにすることができる。
【００１７】
更に、戸板２が、吊り戸車５に対し、上下方向において相対的な遊びをすることができないように脚７を介して連結されていることも、戸板２，２の開閉をスムーズなものにするのに役立てられてられていることはいうまでもない。なお、８は、床９側に備えられた戸板ガイドである。
【００１８】
図１（ハ−１）（ハ−２）に示す実施形態は、戸板２と吊り戸車５とが脚７を介して連結され、脚７は、その上端部が吊り戸車５に対して遊びのない固定状態に連結されると共に、下端部も戸板２に対して遊びのない固定状態に連結されている。そして、脚７は、その高さ方向中間部において分割されており、下脚７ａと上脚７ｂとが、水平一方向においてのみ相対回動するよう枢結７ｃされ、それにより、戸板２が、吊り戸車５に対し、レール４の延びる方向と直交する水平方向において相対的な遊びをすることができる一方で、レール４の延びる方向において相対的な遊びをすることができないように連結されている。また、上下方向における相対的な遊びもすることができないように連結されている。このように、遊びの許容と禁止は、吊り戸車５と戸板２との相対的関係で行われるようになされたものであればよく、従ってまた、吊り戸車５と戸板２との連結に脚７を使用するか否かは任意である。
【００１９】
以上に、本発明の実施形態を示したが、本発明はこれに限られるものではなく、発明思想を逸脱しない範囲で各種の変更が可能である。例えば、上記の実施形態では、吊り用走行子として吊り戸車を用いた場合を示したが、スライド式の走行子を吊り用走行子としてもよい。
【００２０】
また、本発明は、シンクロ式でない引き分け式の引き戸構造に適用することもできるし、片引き式の引き戸構造に適用することもできるし、要は、開閉操作をしようとすると、操作力の作用する位置と戸板の重心位置との関係で戸板に大きな回転モーメントが発生するような引き戸構造に広く用いることができるものである。
【図面の簡単な説明】
【００２１】
【図１】実施形態の吊り式引き戸の構造を示すもので、図（イ）は正面図、図（ロ−１）（ロ−２）は吊り戸車と戸板の連結構造の一例を示す側面図と正面図、図（ハ−１）（ハ−２）は吊り戸車と戸板の連結構造の他の例を示す側面図と正面図である。
【図２】図（イ）及び図（ロ）はそれぞれ、吊り式引き戸の作動状態を示す全体正面図である。
【図３】図（イ）及び図（ロ）はそれぞれ、従来の吊り式引き戸の作動状態を示す全体正面図である。
【符号の説明】
【００２２】
１…開口部
２…戸板
４…レール
５…吊り戸車（吊り用走行子）
【図１】
2006257685.tif 000003
【図２】
2006257685.tif 000004
【図３】
2006257685.tif 000005